(57)【特許請求の範囲】
【請求項１】
コンピュータ本体用ケーシングにおいて，
第１分離線及び第２分離線に沿って相互結合され，受容空間を形成する第１ケーシング及び第２ケーシングと；
前記第１分離線に沿って，前記第１ケーシング及び第２ケーシングと相互結合する第１結合部と；
前記第２分離線に沿って，前記第１ケーシングにスライド可能に設けられたラッチ本体と，前記ラッチ本体から前記第２ケーシングへ突出し，前記第２分離線に沿って延長された少なくとも一つのラッチとを有するラッチユニットと；
前記第２ケーシングに設けられ，前記ラッチユニットがスライディング移動することにより，前記ラッチと掛かったり解けたりする掛かり部と；を含み，
前記掛かり部は，前記第２ケーシングの内壁面に連結された一端部と，前記ラッチユニットがスライディング移動することにより前記ラッチと掛かったり解けたりする掛かりフックが設けられた他端部とを有し，
前記掛かりフックは，さらに前記第２分離線に対して垂直な方向に弾性変形可能であり，前記第１ケーシング及び第２ケーシングが前記第２分離線に沿って結合する時に前記掛かりフックが前記ラッチと接触することによって弾性変形することを特徴とするコンピュータ本体用ケーシング。
【請求項２】
前記ラッチ本体は，前記ラッチ本体の移動方向に沿って，前記ラッチ本体に形成された少なくとも二つの長孔と，前記長孔を通じて前記第１ケーシングに締結される案内ネジと，を有する案内部を含むことを特徴とする請求項１に記載のコンピュータ本体用ケーシング。
【請求項３】
前記ラッチ本体の一端部には，取っ手が設けられることを特徴とする請求項１または２に記載のコンピュータ本体用ケーシング。
【請求項４】
前記掛かり部には，さらに前記掛かり部の掛かりフックに隣接し，前記第２分離線に対して垂直な方向に移動する時に，前記ラッチと接触する案内傾斜部が形成されていることを特徴とする請求項１または２に記載のコンピュータ本体用ケーシング。
【請求項５】
前記第１結合部は，前記第１分離線に沿って前記第１ケーシングの内壁面から突出されて前記第２ケーシングと結合する少なくとも一つの第１フックと，前記第１分離線に隣接する前記第２ケーシングの内壁面の縁部に設けられて，前記第１フックと掛かる第１フック部と，を含むことを特徴とする請求項１に記載のコンピュータ本体用ケーシング。
【請求項６】
前記第１結合部は，前記第１分離線に沿って前記第２ケーシングの内壁面から突出されて前記第１ケーシングと結合する少なくとも一つの第２フックと，前記第１分離線に隣接する前記第１ケーシングの内壁面の縁部に設けられて，前記第２フックと夫々掛かる第２フック部と，を含むことを特徴とする請求項１または請求項５に記載のコンピュータ本体用ケーシング。
【請求項７】
前記第１結合部は，前記第１ケーシング及び第２ケーシングのいずれか一つに形成されたヒンジピン受容部と，他の一つに形成されて前記ヒンジピン受容部に受容されるヒンジピンと，を含むことを特徴とする請求項１に記載のコンピュータ本体用ケーシング。
【発明の詳細な説明】
【０００１】
【発明の属する技術分野】
本発明は，コンピュータ本体用ケーシングに係り，特に，組立及び分解が容易なコンピュータ本体用ケーシングに関する。
【０００２】
【従来の技術】
図６は従来のコンピュータの本体とケーシングの分解斜視図である。
図面に示したように，従来のコンピュータは，コンピュータ本体１１０と，モニタ（図示せず）と，入力装置（図示せず）とを有する。
【０００３】
コンピュータ本体１１０の内部には，多数の部品（図示せず）が設けられており，コンピュータ本体１１０の外部には，外観を形成するケーシング１２０が設けられている。コンピュータ本体１１０の後方の縁部には，ケーシング１２０との結合のための複数の締結部１２５が設けられている。ケーシング１２０には，締結部１２５と対応する位置に複数の締結孔１２４が形成されている。これら締結孔１２４及び締結部１２５を一致させた後，ネジ１２６で結合することにより，ケーシング１２０及びコンピュータ本体１１０が結合される。
【０００４】
ところが，従来のコンピュータ本体１１０及びケーシング１２０においては，コンピュータの修理または新ソフトウェアの装着のため，コンピュータ本体１１０とケーシング１２０とを分解及び組立する時に，ネジ１２６を解体するための別途の装備が必要になり，またその際，ネジを破損したり紛失したりする恐れがある。
【０００５】
【発明が解決しようとする課題】
本発明は，このような問題点に鑑みてなされたもので，その目的とするところは，コンピュータ本体とこれを囲んでいるケーシングとの組立及び分解を容易にすることができるコンピュータ本体用ケーシングを提供することである。
【０００６】
【課題を解決するための手段】
前述した課題を達成するために本発明は，コンピュータ本体用ケーシングにおいて，第１分離線及び第２分離線に沿って相互結合され，桶状の受容空間を形成する第１ケーシング及び第２ケーシングと，第１分離線に沿って，第１ケーシング及び第２ケーシングと相互結合する第１結合部と，第２分離線に沿って，第１ケーシングにスライド可能に設けられたラッチ本体と，ラッチ本体から第２ケーシングへ突出し，第２分離線に沿って延長された少なくとも一つのラッチとを有するラッチユニットと，第２ケーシングに設けられ，ラッチユニットがスライディング移動することにより，ラッチと掛かったり解けたりする掛かり部と，を含むことを特徴とするコンピュータ本体用ケーシングである。
【０００７】
ここで，ラッチ本体は，ラッチ本体の移動方向に沿って，ラッチ本体に形成された少なくとも二つの長孔と，この長孔を通じて第１ケーシングに締結される案内ネジと，を有する案内部を含むことがラッチ本体の移動範囲を制限することにより，第１ケーシング部分と第２ケーシング部分を結合及び解除させることができるので効果的である。
【０００８】
また，ラッチ本体の一端部には，ラッチ本体の移動方向に対して垂直な方向に折った取っ手を設けることによりユーザーがラッチ本体を作動させることが便利である。
【０００９】
また，掛かり部は，第２ケーシングの内壁面に連結された一端部と，ラッチと掛かったり解けたりする掛かりフックが設けられた他端部とを有している。この掛かりフックはさらに第２分離線に対して垂直な方向に弾性変形可能であってもよく，さらにまたこの掛かり部の掛かりフックに隣接し，第２分離線に対して垂直な方向に移動する時に，ラッチと接触する案内傾斜部が形成されているので，第２ケーシング部分を第２分離線に対して垂直な方向に移動させて第１ケーシング部分と結合させることもでき，そのような場合にも簡単に結合させることができるので効果的である。
【００１０】
また，第１結合部は，第１分離線に沿って第１ケーシングの内壁面から突出されて第２ケーシングと結合する少なくとも一つの第１フックと，第１分離線に隣接する第２ケーシングの内壁面の縁部に設けられて，第１フックと掛かる第１フック部と，を含むことが好ましい。
【００１１】
第１結合部は，第１分離線に沿って第２ケーシングの内壁面から突出されて第１ケーシングと結合する少なくとも一つの第２フックと，第１分離線に隣接する第１ケーシングの内壁面の縁部に設けられて，第２フックと夫々掛かる第２フック部と，を設けることにより，第１ケーシング及び第２ケーシングの相対回転は可能であるが，夫々の第１及び第２ケーシングが第１分離線の垂直な方向に離脱することは防止することができる。
【００１２】
第１結合部は，第１ケーシング及び第２ケーシングのいずれか一つに形成されたヒンジピン受容部と，他の一つに形成されて前記ヒンジピン受容部に受容されるヒンジピンと，を形成することによっても，第１及び第２ケーシング部分を結合及び解除させることができる。
【００１３】
【発明の実施の形態】
以下，図面に基づいて，本発明の実施の形態を詳細に説明する。
図１を参照すると，本発明の一実施例によるコンピュータ本体用ケーシングを採用したコンピュータ１は，複数の部品を備えたコンピュータ本体１０と，コンピュータ本体１０を支持するベースプレート１２と，コンピュータ本体１０と結合されて外部に画像を投射するモニタ１５と，コンピュータ本体１０に情報を入力する入力装置（図示せず）とを有する。
【００１４】
コンピュータ本体１０の内部には，ＣＰＵ及びＲＡＭを始めとしてグラフィックカード等の各種のカードが装着されたメインボード（Ｍａｉｎ  Ｂｏａｒｄ）（図示せず）とハードディスクドライブ等が設けられている。コンピュータ本体１０の外部には，外観を形成するケーシング２０が設けられている。
【００１５】
図２？図４を参照しながら，本発明によるコンピュータ本体のケーシング２０を詳細に説明する。
ケーシング２０は，図２に示すように，略Ｕ字形状の第１ケーシング２１及び第２ケーシング２３と，第１ケーシング２１及び第２ケーシング２３の上部と下部を夫々遮断する上部カバー２５及び下部カバー２７とを有する。
【００１６】
第１ケーシング２１と第２ケーシング２３の相互結合により，内部には略桶状の受容空間が形成され，外部には後方に第１分離線３及び前方に第２分離線５が形成される。第１ケーシング２１及び第２ケーシング２３の夫々の板面には複数の装着孔２８とポート開口２９が形成されている。ケーシング２０は，第１分離線３及び第２分離線５に沿って，第１ケーシング２１と第２ケーシング２３を夫々相互結合する第１結合部４０及び第２結合部７０を有する。
【００１７】
第１結合部４０は，図３及び図４に示すように，第１分離線３に沿って，第１ケーシング２１の内壁面から第２ケーシング２３に向かって突出された複数の第１フック４１と，第２ケーシング２３に形成されて第１フック４１に掛かる複数の第１フック部４５と，を有する。また，第１結合部４０には，第１分離線３に沿って，第２ケーシング２３の内壁面から第１ケーシング２１に向かって突出された複数の第２フック４３と，第１ケーシング２１に形成されて第２フック４３に掛かる第２フック部４６と，がさらに設けられている。
【００１８】
これにより，第１フック４１及び第２フック４３は，夫々対応する（第１ケーシング２１及び第２ケーシング２３に形成された）第１フック部４５及び第２フック部４６と結合する。これらの結合により，第１ケーシング２１及び第２ケーシング２３のいずれか一つのケーシングが他のケーシングに対して，第１分離線３を中心として相対回転することは許容されるが，第１分離線３に対して垂直な方向に離脱することは許容されずこれを防止することができる。
【００１９】
第２結合部７０は，第１ケーシング２１と第２ケーシング２３との開閉のため，第２分離線５に沿って第１ケーシング２１に設けられたラッチユニット３０及び第２ケーシング２３に設けられてラッチユニット３０と掛かったり解けたりする掛かり部５０を有する。
【００２０】
ラッチユニット３０は，第１ケーシング２１に設けられたラッチ本体３１と，ラッチ本体３１に第２ケーシング２３に向かって突出された少なくとも一つのラッチ３３と，ラッチ本体３１の一端部に形成された取っ手３５とを含む。
【００２１】
ラッチ本体３１は，第１ケーシング２１の内部の第２分離線５側縁部領域に設けられ，ラッチ本体３１が第２分離線５の軸方向に沿ってスライドするように案内する案内部３７を含む。案内部３７は，ラッチ本体３１の移動方向に沿ってラッチ本体３１に形成された少なくとも二つの案内長孔３８と，案内長孔３８を通じて第１ケーシングと締結され，ラッチ本体３１の移動範囲を制限する案内ネジ３９とを有する。
【００２２】
ラッチ３３は第２ケーシング２３の掛かり部５０の掛かりフック５１と掛かり，取っ手３５はラッチ本体３１の移動方向に対して垂直な方向に折られている。
【００２３】
掛かり部５０は，第２分離線５に沿って（設けられており），第２ケーシング２３の内壁面に連結された一端部と，第１ケーシング２１のラッチ３３と掛かり第２分離線５に対して垂直な方向に弾性変形可能な掛かりフック５１が設けられた他端部とを有する。掛かり部５０の掛かりフック５１側の端部には，第２分離線に対して垂直な方向に移動する時に，ラッチ３３と容易に接触するように下向傾斜を持つ案内傾斜部５３が設けられている。掛かり部５０が第２分離線５に対して垂直な方向に弾性変形可能に設けられており，また，下向傾斜を持つ案内傾斜部５３により，第１ケーシング２１と第２ケーシング２３とを容易に結合することができる。従って，第２分離線の垂直な方向に対して弾性変形可能な掛かり部５０及び案内傾斜部５３により，第１ケーシング２１及び第２ケーシング２３の結合が容易に行われる。
【００２４】
前記の構成により，本発明の一実施例によるコンピュータ本体用ケーシング２０の組立及び解体の過程は次の通りである。図５は本発明によるラッチユニットと掛かり部の結合図である。
【００２５】
ユーザは，コンピュータの使用中に，修理又は新ソフトウェアを装着するため，先に，結合されている第１ケーシング２１と第２ケーシング２３の上部カバー２５を開放する。上部が開放されれば，第２分離線５に沿ってスライディング移動可能なラッチ本体３１が露出され，そのラッチ本体３１の取っ手３５を上向き移動させる。取っ手３５を上向き移動させると，案内部３７の案内長孔３８と案内ネジ３９により，ラッチ本体３１が一定範囲だけ移動する。
【００２６】
これにより，ラッチ本体３１のラッチ３３と掛かり部５０の掛かりフック５１の結合が解け，その次に，第１ケーシング２１と第２ケーシング２３を第１分離線３に沿って相互反対方向に回転させる。その次に，第１分離線３に沿って第１ケーシング２１及び第２ケーシング２３の縁部に形成された第１フック４１及び第２フック４３と，第１フック部４５及び第２フック部４６との結合を解くことにより，第１ケーシング２１と第２ケーシング２３との組立を解除する。第１ケーシング２１と第２ケーシング２３を組み立てる過程は，上述した分離過程と逆に行われる。
【００２７】
前述した実施例において，第１結合部４０は，第１分離線３側の第１ケーシング２１及び第２ケーシング２３の縁部に設けられた，第１フック４１及び第２フック４３と，第１フック部４５及び第２フック部４６とからなっているが，第１及び第２ケーシングのいずれか一つにヒンジピン受容部を設け，他のケーシングにヒンジピンを設けることによっても達成することができる。
【００２８】
又，第１結合部を，第２結合部の如く，ラッチユニットと掛かり部との結合で構成することにより，本発明の目的及び効果を達成することもできる。
【００２９】
以上のように，第１ケーシングに設けられたラッチユニットと，第２ケーシングに設けられた掛かり部との結合によって，ラッチユニットのスライディング移動により，掛かったり解けたりすることによって，コンピュータ本体の組立及び解体が容易に行われ，ネジ及びネジ孔が要らない構造のコンピュータ本体のケーシングが提供される。
【００３０】
以上，添付図面を参照しながら本発明にかかるコンピュータ本体用ケーシングの好適な実施形態について説明したが，本発明はかかる例に限定されない。当業者であれば，特許請求の範囲に記載された技術的思想の範疇内において各種の変更例または修正例に想到し得ることは明らかでありそれについても当然に本発明の技術的範囲に属するものと了解される。
【００３１】
【発明の効果】
以上，詳細に説明したように本発明によれば，コンピュータ本体の組合及び分解が簡便なコンピュータ本体用ケーシングを提供することができる。
【図面の簡単な説明】
【図１】本発明の一実施の形態によるコンピュータ本体用ケーシングを採用したコンピュータの斜視図である。
【図２】図１のコンピュータ本体用ケーシングの分解斜視図である。
【図３】本発明の一実施の形態による第１ケーシングの拡大斜視図である。
【図４】本発明の一実施の形態による第２ケーシングの拡大斜視図である。
【図５】本発明の一実施の形態によるラッチユニットと掛かり部の結合図である。
【図６】従来のコンピュータ本体とケーシングの分解斜視図である。
【符号の説明】
１０      コンピュータ本体
１２      ベースプレート
１５      モニタ
２０      ケーシング
２１      第１ケーシング
２３      第２ケーシング
２５      上部カバー
２７      下部カバー
２８      装着孔
２９      ポート開口
３０      ラッチユニット
３１      ラッチ本体
３３      ラッチ
３５      取っ手
３７      案内部
３８      案内長孔
３９      案内ネジ
４０      第１結合部
４１      第１フック
４３      第２フック
４５      第１フック部
４６      第２フック部
５０      掛かり部
５１      掛かりフック
５３      案内傾斜部
７０      第２結合部
【図１】
0003620587.tif 000002
【図２】
0003620587.tif 000003
【図３】
0003620587.tif 000004
【図４】
0003620587.tif 000005
【図５】
0003620587.tif 000006
【図６】
0003620587.tif 000007